(57)【要約】【課題】  内部チャンバを形成するハウジングと、内部チャンバの一部であり、主要流路によって流体接続される入口ポート及び出口ポートとを有する、抗サイフォン排液デバイスを提供する。【解決手段】  バルブシートは主要流路と関連付けられ、傾斜区画はバルブシートから延在し、弁体は傾斜区画に配設され、バルブシートに嵌まって、入口ポートから主要流路内への流体フローを制限することができる。補助流路は、入口ポート付近の開口部と、出口ポート付近のオリフィスとを有することができる。調整器は、補助流路の開口部を選択的に開閉するアパーチャを有する。弁体がバルブシートに嵌まり、主要流路内への流体フローを制限しているときに、流体は補助流路に流入する。【選択図】  図１
2014176694.tif 000002
【特許請求の範囲】
【請求項１】
抗サイフォン排液デバイスであって、
内部チャンバを形成するハウジングと、
前記内部チャンバと連通し、主要流路によって流体接続される入口ポート及び出口ポートと、
前記主要流路と関連付けられたバルブシートと、
前記内部チャンバ内部で前記バルブシートから延在する傾斜区画と、
前記傾斜区画に配設され、前記バルブシートに嵌まって、前記入口ポートから前記主要流路内への流体フローを制限することができる弁体と、
前記入口ポートに近接して配設された開口部と、前記出口ポートに近接して配設されたオリフィスと、を含む補助流路と、
前記補助流路の前記開口部を選択的に開閉するアパーチャを含む調整器と、を備え、
前記弁体が前記バルブシートに配設され、前記主要流路内への前記流体フローを制限しているときに、流体が前記補助流路に流入する、抗サイフォン排液デバイス。
【請求項２】
前記入口ポートが前記出口ポートのほぼ上に垂直方向に配設されると、前記弁体が前記バルブシートに配設され、前記主要流路内への前記流体フローを制限し、
前記入口ポートが前記出口ポートにほぼ平行に水平位置に配設されると、前記バルブシートが、前記主要流路内への前記流体フローを可能にする、請求項１に記載の抗サイフォン排液デバイス。
【請求項３】
前記弁体及び前記バルブシートの少なくとも一方によって、嵌まっているときに、前記主要流路内への制限された流体フローが可能になる、請求項１に記載の抗サイフォン排液デバイス。
【請求項４】
前記主要流路が、前記補助流路よりも水力学的に大きい、請求項１に記載の抗サイフォン排液デバイス。
【請求項５】
前記補助流路が、前記主要流路の周りで螺旋状にされる、請求項１に記載の抗サイフォン排液デバイス。
【請求項６】
前記補助流路とは別個の、第２の開口部を含む第２の補助流路を更に備え、
前記補助流路及び前記第２の補助流路が、二条ねじとして前記主要流路の周りで螺旋状にされ、
前記調整器が、前記アパーチャと共に、前記開口部及び前記第２の開口部を選択的に開閉するように構成される複数の第２のアパーチャを更に含む、請求項５に記載の抗サイフォン排液デバイス。
【請求項７】
前記補助流路とは別個の、第２の開口部を含む第２の補助流路と、
前記補助流路と前記第２の補助流路の両方とは別個の、第３の開口部を含む第３の補助流路と、を更に備え、
前記調整器が、前記アパーチャと共に、前記開口部、前記第２の開口部、及び前記第３の開口部を選択的に開閉するように構成される複数の第２のアパーチャを更に含む、請求項１に記載の抗サイフォン排液デバイス。
【請求項８】
前記調整器が、全て開く、全て閉じる、開口部それぞれを個々に開く、及び開口部の対を開くという構成のうち少なくとも１つで、前記開口部、前記第２の開口部、及び前記第３の開口部を選択的に開閉することができる、請求項７に記載の抗サイフォン排液デバイス。
【請求項９】
前記主要流路が主要水力学的性能（Ｐ１）を有し、前記補助流路が補助水力学的性能（Ｆ１）を有し、前記第２の補助流路が第３の水力学的性能（Ｆ２）を有し、前記第３の補助流路が第４の水力学的性能（Ｆ３）を有し、
Ｆ１＜Ｆ２＜Ｆ３＜Ｐ１を含む水力学的関係を更に有する、請求項８に記載の抗サイフォン排液デバイス。
【請求項１０】
前記水力学的関係が、Ｆ１＜Ｆ２＜Ｆ１＋Ｆ２＜Ｆ３＜Ｆ１＋Ｆ３＜Ｆ２＋Ｆ３＜Ｆ１＋Ｆ２＋Ｆ３＜Ｐ１を含む、請求項９に記載の抗サイフォン排液デバイス。
【請求項１１】
前記バルブシートにおける前記弁体の配設が重力によって制御される、請求項１に記載の抗サイフォン排液デバイス。
【請求項１２】
内部チャンバを形成するハウジングと、前記内部チャンバと連通し、主要流路によって流体接続される入口ポート及び出口ポートと、前記主要流路と関連付けられたバルブシートと、前記内部チャンバ内部で前記バルブシートから延在する傾斜区画と、前記傾斜区画に配設され、前記バルブシートに嵌まって、前記入口ポートから前記主要流路内への流体フローを制限することができる弁体と、補助流路と、調整器と、を有し、前記弁体が前記バルブシートに配設され、前記主要流路内への前記流体フローを制限しているときに、流体が前記補助流路に流入する、抗サイフォン排液デバイスを形成する方法であって、
前記バルブシートを有する前記主要流路を形成する工程と、
前記弁体を前記傾斜区画に配設する工程と、
前記補助流路を形成する工程と、
前記補助流路の上に前記調整器を配設して前記補助流路を選択的に閉塞する工程と、を含む、方法。
【請求項１３】
前記補助流路を形成する前記方法が、前記補助流路を前記主要流路の周りで螺旋状にすることを含む、請求項１２に記載の方法。
【請求項１４】
第１の水力学的特性を有する前記主要流路を形成する工程と、
第２の水力学的特性を有する前記補助流路を形成する工程と、を更に含み、
前記第１の水力学的特性が前記第２の水力学的特性よりも大きい、請求項１２に記載の方法。
【発明の詳細な説明】
【技術分野】
【０００１】
本発明は、水頭症の治療のためのバルブシステムに関する。
【背景技術】
【０００２】
体液をある領域から別の領域に方向付けるためのシャントシステムは、医療分野で知られている。かかる流体シャントシステムの１つの用途は、脳脊髄液（「ＣＳＦ」）を脳から離し、静脈系内へ、又は身体の別の領域へと方向付けるための、水頭症の治療におけるものである。この用途では、シャントは、頭皮の下で、患者の頭蓋上に埋め込まれ、脳に挿入するように適合された脳室カテーテルに連結されるとともに、腹腔、心房、又は他の排液部位などの排液領域に挿入するように適合された遠位カテーテルに連結される。
【０００３】
シャントシステムは、一般的に、ＣＳＦの流量を制御する、圧力調節式のバルブを含む。遠位カテーテルは、一般的に脳室入口の尾側（caudal to the ventricular inlet）に埋め込まれ、それによって、患者（patent）が直立位置にあるとき、シャントシステムがサイフォン管のように作用する。サイフォン効果によって過剰排液が引き起こされる場合があり、そのことが、低圧性頭痛、スリット脳室、及びくも膜下出血の原因となる可能性がある。
【０００４】
抗サイフォン（anti-siphoning）は、重り付きのボール（weighted ball）及びシートバルブ、流量調節バルブ、並びにダイヤフラムバルブを含む、いくつかのメカニズムを用いてこれまで対処されてきた。次いで、重り付きのボール及びシートバルブは、重力によって作用したとき、即ち患者が直立しているときに、ボールがバルブ通路に嵌まって流体経路を閉じる、１つ又は２つ以上のボール又は他のメカニズムを含む。主要流体経路を閉じることは、代替の経路が同様に十分な排液を提供しない場合、過少排液の原因となる可能性がある。別のボール及びシート設計は、過剰なフローに応答して閉じるが、常に開いたままである補助経路を提供して一定の排液を可能にするが、ただし補助経路の抵抗は固定されたままである。ダイヤフラムバルブは、一般的に、閉フロー位置にあり、正圧に応答してのみ開き、負の遠位圧（negative distal pressure）を受けると再び閉じる。ダイヤフラムバルブは、組織に被包されるようになり、正圧を受けたときに開かない可能性があり、このことが過少排液の原因となるという不利な点を有する。
【０００５】
従来の解決策の例としては、単一流路のボール及びシートバルブを開示している、米国特許第４，６０５，３９５号（Ｒｏｓｅら）、並びに２つの流路を有するが両方とも圧力バルブを有する、米国特許第４，６８１，５５９号（Ｈｏｏｖｅｎ）が挙げられる。米国特許第６，１２６，６２８号（Ｎｉｓｓｅｌｓ）は、蛇行性の補助流路を備えた圧力バルブである。しかしながら、補助流路は固定のフロー特性を有する。それに加えて、米国特許第８，１７７，７３７号（Ｎｅｇｒｅら）は、多数の補助ポートを備え、ただし特定のポートへのフローが主要流路内におけるボールの位置によって制御される圧力バルブである。したがって、単純な設計であって、それでもやはり複数のフロー及び圧力特性を有する、抗サイフォンバルブが必要とされている。
【発明の概要】
【課題を解決するための手段】
【０００６】
結果的に、本発明は、特定のシャントシステムの埋め込みによって引き起こされるサイフォン効果を単純に制御するツール及び方法を提供する。本発明の例は、サイフォン速度に対する制御が開いた流体通路の数に直接関係する、重力支援の抗サイフォンバルブを提供する。各補助経路は、均等な流体フロー抵抗を提供することができるので、デバイスの各設定は、単一の経路の抵抗の倍数である。あるいは、各経路は固有の抵抗プロファイルを有することができ、フローは適切な経路を選択することによって制御される。一例では、ユーザは、潜在的に組織によって妨げられる可能性がある複雑なメカニズムを用いることなく、１つ又は２つ以上の経路構成を選択してフローを制御することができる。
【０００７】
抗サイフォン排液デバイスは、内部チャンバを形成するハウジングを有することができ、入口及び出口ポートは内部チャンバの一部であり、主要流路によって流体接続され得る。バルブシートは主要流路と関連付けられ、傾斜区画はバルブシートから延在し、弁体は、傾斜区画に配設され、バルブシートに嵌まって、入口ポートから主要流路内への流体フローを制限することができる。補助流路は、入口ポート付近の開口部と、出口ポート付近のオリフィスとを有することができる。調整器は、補助流路の開口部を選択的に開閉するアパーチャを有する。弁体がバルブシートに嵌まり、主要流路内への流体フローを制限しているときに、流体は補助流路に流入する。
【０００８】
抗サイフォン排液デバイスは、出口ポートのほぼ上に垂直方向に配設される入口ポートを有することができ、それによって、弁体がバルブシートに入り、主要流路内への流体フローを制限する。反対に、入口ポートが出口ポートにほぼ平行に水平方向に配設されると、バルブシートが、主要流路内への流体フローを可能にする。弁体又はバルブシートの一方によって、嵌まっているときに、主要流路内への制御された流体フローが可能になる（即ち、「漏れやすい弁」）。バルブシート内における弁体の配設は重力によって制御することができる。
【０００９】
主要流路は、補助流路よりも水力学的に大きい場合がある。いくつかの例は、主要流路の周りで螺旋状にされた補助流路を有する。他の例では、それらは任意の形状又は直線状であることができる。
【００１０】
抗サイフォン排液デバイスの別の例は、補助流路とは別個の、第２の開口部を有する第２の補助流路を有することができる。補助流路及び第２の補助流路は、二条ねじとして主要流路の周りで螺旋状であることができる。調整器は、アパーチャと共に、開口部及び第２の開口部を選択的に開閉するように構成される複数の第２のアパーチャを含むことができる。
【００１１】
更に別の例は、補助流路及び第２の補助流路の両方とは別個の、第３の開口部を有する第３の補助流路も有することができる。調整器は、この場合、アパーチャと共に、開口部、第２の開口部、及び第３の開口部を選択的に開閉するように構成される複数の第２のアパーチャを有する。調整器は、開口部、第２の開口部、及び第３の開口部を選択的に開閉するための異なる設定を有することができる。設定は、全て開く、全て閉じる、開口部それぞれを個々に開く、及び開口部の対を開くという構成のうち少なくとも１つを有することができる。
【００１２】
更に、一例は、主要水力学的性能（hydraulic capacity）（Ｐ１）を有する主要流路と、補助水力学的性能（Ｆ１）を有する補助流路と、第３の水力学的性能（Ｆ２）を有する第２の補助流路と、第４の水力学的性能（Ｆ３）を有する第３の補助流路とを有することができる。それらの間の水力学的関係は、Ｆ１＜Ｆ２＜Ｆ３＜Ｐ１であり得る。あるいは、水力学的関係は、Ｆ１＜Ｆ２＜Ｆ１＋Ｆ２＜Ｆ３＜Ｆ１＋Ｆ３＜Ｆ２＋Ｆ３＜Ｆ１＋Ｆ２＋Ｆ３＜Ｐ１であり得る。
【００１３】
上述したような抗サイフォン排液デバイスを形成する方法は、バルブシートを有する主要流路を形成する工程と、弁体を傾斜区画に配設する工程と、補助流路を形成する工程と、補助流路の上に調整器を配設して補助流路を選択的に閉塞する工程とを含む。補助流路を形成する工程は、補助流路を主要流路の周りで螺旋状にすることを含むことができる。主要流路は第１の水力学的特性を有して形成することができ、補助流路は第２の水力学的特性を有して形成することができる。一例では、第１の水力学的特性は第２の水力学的特性よりも大きい。
【図面の簡単な説明】
【００１４】
本発明は、添付の特許請求の範囲で詳細に記載される。本発明の上述の態様及び更なる態様は、添付図面と共に以下の説明を参照することによってよりよく理解することができ、添付図面において、種々の図の同様の数字は同様の構造要素及び特徴を示す。図面は必ずしも縮尺通りではなく、本発明の原理を示す際に代わりに強調されている。
【００１５】
図面は、限定としてではなく単なる例示として、本教示による１つ又は２つ以上の実現例を描写している。図面中、同様の参照番号は同じ又は類似の要素を指す。
【図１】患者の体内に配設された流体シャントシステムに対する本発明の抗サイフォンデバイスの配置の一例を示す図である。
【図２】本発明による抗サイフォンデバイスの一例の等角図である。
【図３】補助フロー位置にある、ハウジングを含まない抗サイフォンデバイスの正面図である。
【図４】主要フロー位置にある、ハウジングを含まない抗サイフォンデバイスの正面図である。
【図５Ａ】調整器の一例を示す抗サイフォンデバイスの上面断面図である。
【図５Ｂ】調整器の一例を示す抗サイフォンデバイスの上面断面図である。
【図６】抗サイフォンデバイスの別の例の断面等角図である。
【図７Ａ】調整器の別の例を示す抗サイフォンデバイスの上面断面図である。
【図７Ｂ】調整器の別の例を示す抗サイフォンデバイスの上面断面図である。
【図８】アパーチャ、補助流路、及びフロー抵抗レベルを示す表である。
【発明を実施するための形態】
【００１６】
以下の詳細な説明では、関連する教示の十分な理解を提供するために、例示として多数の特定の詳細が記載されている。しかしながら、本教示はかかる詳細を伴わずに実施されてもよいことが、当業者には明白であろう。他の例では、本教示の態様が不必要に曖昧になることを回避するために、周知の方法、手順、構成要素、及び／又は回路機構が比較的高位で詳細を含まずに記載されている。
【００１７】
図面を参照すると、特に図１及び２を参照すると、患者Ｐにおける所望の所定の頭蓋内圧を維持するための、ＣＳＦ抗サイフォン圧力除去バルブシステム１００が示されている。システム１００は、本発明に従って構築された、所望の頭蓋内圧を維持するための加減抵抗性かつ重力作動式の抗サイフォンデバイス１０２を含む。
【００１８】
脳脊髄液（ＣＳＦ）１４は、脳室カテーテル１７を用いて脳１６の脳室１５から排液される。好ましくは、カテーテルは、脳内におけるその正確な配置を容易にするために、放射線不透過性である。カテーテルの遠位端１８は、ＣＳＦがカテーテルを通るのを可能にし、適切な脳室内に位置付けられる。カテーテルの他端は、抗サイフォンデバイス１０２の入口ポート１０４に連結されて、システム１００と脳室との間の流体連通が確立される。バルブシステムの出口ポート１０６は、排液カテーテル２３の一端に取り付けられ、その反対端は、患者の身体内の適切な場所内へと排出される。排液カテーテルは、適切な静脈２４にねじ込まれて、心臓２５の右心房内で終端するものとして示されているが、例えば、腹腔など、別の排液場所を代わりに選択することができる。開いているとき、システム１００は、ＣＳＦが脳室から選択された排液場所へと流れることを可能にして、ＣＳＦの過剰な蓄積による過剰な頭蓋内圧が緩和される。
【００１９】
差圧の増加は、脳室内のＣＳＦの過剰な蓄積によってもたらされることがあるが、かかる増加は、患者の通常の身体活動に対する完全に正常な応答であることもある。例えば、図１に仮想線で示されるように、患者が臥位でしばらく横たわった後に起き上がると、脳室カテーテル１７の遠位端と排液場所との間に存在する流体柱の垂直高さＨが急激に増加することにより、差圧が急激に増加することになる。システムの除去バルブが開いていて、この圧力増加に応答して制限されない流体フローが可能であった場合、脳室の過剰排液及び脳血腫という結果がもたらされ得る。更に、上述した様々な部品の寸法は、頭蓋３３の上にバルブを皮下埋め込みするのに適合性であるように選択される。
【００２０】
図２、３、及び４を参照すると、本発明による加減抵抗性かつ重力作動式の抗サイフォンデバイス１０２が示されている。デバイス１０２は、ハウジング１１０に配設されたアパーチャ１０８の形態の入口１０４と、排液カテーテル２３に連結するのに適したコネクタ１１２の形態の出口１０６とを含む。ハウジング１１０は、デバイスの近位端に入口１０４を画成する。出口１０６はデバイス１０２の遠位端にあり、流体はデバイス１０２からそこを通って方向付けられる。ハウジング１１０を含むデバイス１０２の構成要素は、任意の適切な生体適合性材料を用いて作製される。かかる好ましい材料の例としては、ポリエーテルスルホン（ＰＥＳ）、ポリスルホン（ＰＳ）、ポリウレタン、ポリエチレン、及びポリプロピレンが挙げられる。
【００２１】
図３及び４は、ハウジング１１０を通る部分断面を示している。ハウジング１１０の正中線１１４を通るのは主要流路１１６である。主要流路１１６は、入口ポート１０４を出口ポート１０６に接続し、ＣＳＦの主な流路である。主要流路１１６のある地点にバルブシート１１８が配設され、主要流路１１６の一端から生じてほぼ入口ポート１０４まで達している。バルブシート１１８につながっているのは傾斜区画１２０である。傾斜区画１２０は入口ポート１０４からバルブシート１１８へと角度をなすことができ、その場合、最も狭い区画はバルブシート１１８の位置にある。傾斜区画内に配設されるのは、弁体１２２であり、一例ではボールであることができる。ボール１２２及びシート１１８を作製するのに適した材料としては、合成ルビー（酸化アルミニウム）が挙げられる。
【００２２】
弁体１１８は、一例では感圧性ではない。例えば、弁体１１８は、出口１０６における圧力が規定の閾値に達したときにのみシートから外れる弾性要素（例えば、ばね）を使用して付勢されない。この例では、弁体１１８は、バルブ１０２の向きによって決定付けられる重力によって変位する。
【００２３】
ハウジング１１０が直立位置にあるとき（即ち、入口ポート１０４が出口ポート１０６よりも垂直方向で高いとき）、ボール１２２をシート１１８内に配設することができ、主要流路１１６はボール１２２によって密閉される（図３を参照）。一例では、主要流路１１６は流体フローに対して完全にシールされる。他の例では、シールは、「漏れ性」であってもよく、ボール１２２が適切に嵌まっていても、少量の流体が主要流路１１６に入り込むことを意図的に可能にしてもよい。
【００２４】
傾斜区画１２０は、ハウジング１１０が垂直位置にあるとき、ボール１２２をバルブシート１１８内へと方向付けることができる。例では、傾斜区画１２０は円錐状又は円錐台形状であることができる。対照的に、図４は、水平位置にあるデバイス１０２を示しており、ボール１２２は重力によって、傾斜区画１２０を転がり落ち、バルブシート１１８から転がり出ている。これによって主要流路１１６を遮るものがなくなり、流体が自由に流れることが可能になる。デバイスの水平位置及び垂直位置は、一般的に、患者の水平位置又は垂直位置（即ち、横になっているか又は起き上がっているか）に対応する。
【００２５】
デバイス１０２は、１つ又は２つ以上の補助流路１２４も含むことができる。補助流路１２４は、流体を入口１０４から出口１０６へと移送することができるが、主要流路１１６とは別個の異なるものであり、他の例では、互いに別個の異なるものである。一例として、図３及び４は、二条ねじから形成された螺旋状経路として、２つの補助流路１２４ａ、１２４ｂを示す。しかしながら、補助流路１２４は、任意の形状及び任意の数を有することができる。補助流路のための開口部１２６は、傾斜区画１２０内であって、ただしバルブシート１１８の外部にあることができる。一例では、ボール１２２は、補助流路１２４に嵌まり、かつその結果としてそこを閉鎖することができない。その結果、補助流路１２４は、オリフィス１４０を通して出口ポート１０６へと排出することができる。
【００２６】
図４に示されるような主要フロー条件下では、ボール１２２が転がり出ているので、主要フローチャネル１１６が開いており、ＣＳＦは優先的に主要流路１１６を通って流れる。これは、患者が一般的に腹臥のときである。図３は、患者が起き上がっていて、重力によってボール１２２がシート１１８に収まって、主要流路１１６を閉鎖しているときの、補助フロー条件を示している。この条件では、流体は、補助流路１２４の開口部１２６に流入して、出口１０６に達するはずである。主要フローチャネル１１６をシールすることによってサイフォンが防止されるが、補助流路１２４を有することによって、排液が可能であり続ける。
【００２７】
一例では、主要流路及び補助流路はそれぞれ、同じ、類似の、又は異なる水力学的特性、例えば少なくとも流量を有することができる。主要流路１１６は、補助流路１２４よりも水力学的に大きい場合がある。「水力学的に大きい」とは、主要流路１１６が補助流路１２４よりも多量の流体（即ち、より大きい流量）を通すことができることを意味するが、このことは様々な理由によるものであり得る。１つの理由は、主要流路１１６がより大きい直径を有する（流量＝速度×面積）か、又はより小さい水力学的抵抗（他の要素と併せて、速度及び経路の幾何学形状の因数でもある）を有することであり得る。より小さい水力学的抵抗によって、流体をより流れやすくすることができる。それに加えて、主要流路１１６を通るより高い流量を可能にする、これら及び他の要素の組み合わせであり得る。
【００２８】
特定の例では、ボール１２２は補助流路１２４を閉鎖することができないが、それでも補助流路１２４を調整することができる。図５Ａ及び５Ｂは、補助流路調整器１２８を示す。調整器１２８は、開口部１２６を部分的に又は完全に閉鎖することによって、補助流路１２４に流入する流体のフローを制御することができる。この例では、調整器１２８は３つのアパーチャ１３０を有する。アパーチャ１３０のうち２つは、開口部１２６の両方を覆うものとして図５Ａに示されている。これは最大補助フロー条件である。他の２つのアパーチャ１３０からずれた第３のアパーチャ１３０ａも示されている。調整器１２８は、第３のアパーチャ１３０ａが開口部１２６の上にくるように回転させることができる。図５Ｂに見られ得るように、第３のアパーチャ１３０ａが流路１２４ａに対する１つの開口部１２６の上にくると、他の開口部１２６、及びしたがって流路１２４ｂは閉塞される。流路１２４ａ、１２４ｂの一方又は両方を、調整器１２８の回転によって選択することができる。更に、特定の例では、部分閉塞があり得る。
【００２９】
それに加えて、調整器１２８は、弁体１２２のバルブシート１１８への制限されないアクセスを可能にする、弁体開口部１３２を有することができる。一例では、調整器１２８は、主要流路１１６へのフローに影響を与えるか、又はそれを閉鎖することができない。調整器１２８の目的は、一例では、単に補助流路１２４へのフローを調整することである。
【００３０】
特定の例では、調整器１２８は、バルブ１０２を患者に埋め込む前に外科医によって設定される。調整器１２８の特定の回転によって、異なる補助流路の流量をもたらすことができ、その結果、頭蓋内圧に影響を与えることができる。いくつかのバルブは、手動操作によってのみ設定することができ、それには、患者の体内で設定を一旦変更することが必要な場合に、バルブを露出させることを要する場合がある。バルブの他の例は、外科手術を伴わずにそれらの設定を変更することができる。
【００３１】
バルブ１０２が直立しているときに主要流路１１６への流入を防ぐことによって、サイフォン効果が防止される。しかしながら、過少排液を防ぐため、ＣＳＦを依然として排液する必要がある。補助流路１２４は、サイフォン効果を伴わずに継続的な排液を可能にする。主要流路１１６が開いている（即ち、弁体１２２がバルブシート１１８に嵌まっていない）とき、流体の全て又はほとんどが主要流路１１６に入る。補助流路１２４が開いたままなので、主要流路１１６の水力学的特性は、流体が最も抵抗の少ない流路として主要経路を優先的に選ぶようなものである。
【００３２】
図６〜７Ｂは、加減抵抗性かつ重力作動式の抗サイフォンデバイス２００の別の例を示す。抗サイフォンデバイス２００は、３つの補助流路２２４ａ〜ｃを有することができる。上述の例に類似した要素については、本明細書でも同様に参照する。抗サイフォンデバイス２００は、ハウジング２１０に配設されたアパーチャ２０８の形態の入口２０４と、コネクタ２１２内の出口２０６とを有する。ハウジング２１０の正中線２１４を通るのは主要流路２１６である。主要流路２１６は、入口ポート２０４を出口ポート２０６に接続し、ＣＳＦの主な流路である。主要流路２１６は、中に配設されたバルブシート２１８を有することができる。バルブシート２１８につながっているのは、入口ポート２０４からバルブシート２１８まで角度をなすことができる傾斜区画２２０であり、最も狭い区画はバルブシート２１８の位置にある。傾斜区画２２０内にあるのは、弁体２２２であることができ、一例ではボールであることができる。
【００３３】
ハウジング２１０が直立位置にあるとき、ボール２２２をシート２１８内に配設することができ、主要流路２１６がシールされる。図６はまた、３つの補助流路２２４ａ、２２４ｂ、２２４ｃのうち２つの断面を示す。この例では、補助流路２２４ａ、２２４ｂ、２２４ｃは直線であり、入口２０４付近に開口部２２６ａ、２２６ｂ、２２６ｃを有し、バルブシート２１８の下の地点で、オリフィス２４０ａ、２４０ｂ、２４０ｃを通して主要流路２１６に流入する。
【００３４】
図７Ａは、３つの補助流路２２４ａ、２２４ｂ、２２４ｃの開口部２２６ａ、２２６ｂ、２２６ｃを示す。この例では、各流路は異なるフロー特性を有する。第１の補助流路２２４ａ（「Ｆ１」）は、上述の因子のいずれかに基づいて、最も低い流量を有する。第２の補助流路２２４ｂ（「Ｆ２」）は、次に低い、ただしＦ１よりは高い流量を有する。第３の補助流路２２４ｃ（「Ｆ３」）は、補助流路２２４のうちで最も高い、ただし依然として主要流路２１６（「Ｐ１」）よりは低い流量を有する。関係は、Ｆ１＜Ｆ２＜Ｆ３＜Ｐ１である。
【００３５】
図７Ｂは、開口部２２６を部分的に又は完全に閉鎖することによって補助流路２２４に流入する流体のフローを制御する、補助流路調整器２２８を示す。この例では、調整器２２８は５〜７個のアパーチャ２３０を有する。アパーチャ２３０は、補助流路２２４の任意の組み合わせを設定できるように間隔を空けている。個々の補助流路２２４ａ、２２４ｂ、２２４ｃそれぞれを、並びに補助流路２２４ａ、２２４ｂ、２２４ｃの組み合わせを選択することができる。図８は、フロー抵抗を変動させる３つの補助流路を供給することができる、８つの異なる構成の一例を示す。暗い区画はアパーチャ２３０を表す。この例では、水力学的性能は、
Ｆ１＜Ｆ２＜Ｆ１＋Ｆ２＜Ｆ３＜Ｆ１＋Ｆ３＜Ｆ２＋Ｆ３＜Ｆ１＋Ｆ２＋Ｆ３＜Ｐ１であることができる。
【００３６】
両方の水力学的性能の例において、Ｆ１は０＜Ｆ１の値を有することができる。
【００３７】
ユーザ選択のフロー構成によって、在庫しておく抗サイフォンデバイスの数を低減することができる。現在、デバイスは、特定の補助流量で工場から事前設定されているので、本発明の上述の例を８個以下の先行技術のデバイスと置き換えることができる。ここでは、ユーザは、本発明に対して補助流量を事前設定し、考えが変わると、設定を何度も変更することができる。
【００３８】
更なる例は、上述の抗サイフォンバルブを形成する方法である。方法は、バルブシートを有する主要流路を形成する工程と、弁体を傾斜区画に配設する工程とを含むことができる。次に、補助流路を形成することができ、調整器を補助流路の上に配設して、補助流路を選択的に閉塞することができる。
【００３９】
最良の形態及び／又は他の例と見なされるものについて上記に記載してきたが、それらにおける様々な修正が行われてもよく、本明細書に開示する主題が様々な形態及び例で実践されてもよく、本教示は多数の用途に適用されてもよく、その一部のみが本明細書に記載されていることを理解されたい。以下の「特許請求の範囲」によって、本教示の真の範囲内にある、ありとあらゆる用途、修正、及び変形について請求するものとする。
【００４０】
〔実施の態様〕
（１）  抗サイフォン排液デバイスであって、
内部チャンバを形成するハウジングと、
前記内部チャンバと連通し、主要流路によって流体接続される入口ポート及び出口ポートと、
前記主要流路と関連付けられたバルブシートと、
前記内部チャンバ内部で前記バルブシートから延在する傾斜区画と、
前記傾斜区画に配設され、前記バルブシートに嵌まって、前記入口ポートから前記主要流路内への流体フローを制限することができる弁体と、
前記入口ポートに近接して配設された開口部と、前記出口ポートに近接して配設されたオリフィスと、を含む補助流路と、
前記補助流路の前記開口部を選択的に開閉するアパーチャを含む調整器と、を備え、
前記弁体が前記バルブシートに配設され、前記主要流路内への前記流体フローを制限しているときに、流体が前記補助流路に流入する、抗サイフォン排液デバイス。
（２）  前記入口ポートが前記出口ポートのほぼ上に垂直方向に配設されると、前記弁体が前記バルブシートに配設され、前記主要流路内への前記流体フローを制限し、
前記入口ポートが前記出口ポートにほぼ平行に水平位置に配設されると、前記バルブシートが、前記主要流路内への前記流体フローを可能にする、実施態様１に記載の抗サイフォン排液デバイス。
（３）  前記弁体及び前記バルブシートの少なくとも一方によって、嵌まっているときに、前記主要流路内への制限された流体フローが可能になる、実施態様１に記載の抗サイフォン排液デバイス。
（４）  前記主要流路が、前記補助流路よりも水力学的に大きい、実施態様１に記載の抗サイフォン排液デバイス。
（５）  前記補助流路が、前記主要流路の周りで螺旋状にされる、実施態様１に記載の抗サイフォン排液デバイス。
【００４１】
（６）  前記補助流路とは別個の、第２の開口部を含む第２の補助流路を更に備え、
前記補助流路及び前記第２の補助流路が、二条ねじとして前記主要流路の周りで螺旋状にされ、
前記調整器が、前記アパーチャと共に、前記開口部及び前記第２の開口部を選択的に開閉するように構成される複数の第２のアパーチャを更に含む、実施態様５に記載の抗サイフォン排液デバイス。
（７）  前記補助流路とは別個の、第２の開口部を含む第２の補助流路と、
前記補助流路と前記第２の補助流路の両方とは別個の、第３の開口部を含む第３の補助流路と、を更に備え、
前記調整器が、前記アパーチャと共に、前記開口部、前記第２の開口部、及び前記第３の開口部を選択的に開閉するように構成される複数の第２のアパーチャを更に含む、実施態様１に記載の抗サイフォン排液デバイス。
（８）  前記調整器が、全て開く、全て閉じる、開口部それぞれを個々に開く、及び開口部の対を開くという構成のうち少なくとも１つで、前記開口部、前記第２の開口部、及び前記第３の開口部を選択的に開閉することができる、実施態様７に記載の抗サイフォン排液デバイス。
（９）  前記主要流路が主要水力学的性能（Ｐ１）を有し、前記補助流路が補助水力学的性能（Ｆ１）を有し、前記第２の補助流路が第３の水力学的性能（Ｆ２）を有し、前記第３の補助流路が第４の水力学的性能（Ｆ３）を有し、
Ｆ１＜Ｆ２＜Ｆ３＜Ｐ１を含む水力学的関係を更に有する、実施態様８に記載の抗サイフォン排液デバイス。
（１０）  前記水力学的関係が、Ｆ１＜Ｆ２＜Ｆ１＋Ｆ２＜Ｆ３＜Ｆ１＋Ｆ３＜Ｆ２＋Ｆ３＜Ｆ１＋Ｆ２＋Ｆ３＜Ｐ１を含む、実施態様９に記載の抗サイフォン排液デバイス。
【００４２】
（１１）  前記バルブシートにおける前記弁体の配設が重力によって制御される、実施態様１に記載の抗サイフォン排液デバイス。
（１２）  内部チャンバを形成するハウジングと、前記内部チャンバと連通し、主要流路によって流体接続される入口ポート及び出口ポートと、前記主要流路と関連付けられたバルブシートと、前記内部チャンバ内部で前記バルブシートから延在する傾斜区画と、前記傾斜区画に配設され、前記バルブシートに嵌まって、前記入口ポートから前記主要流路内への流体フローを制限することができる弁体と、補助流路と、調整器と、を有し、前記弁体が前記バルブシートに配設され、前記主要流路内への前記流体フローを制限しているときに、流体が前記補助流路に流入する、抗サイフォン排液デバイスを形成する方法であって、
前記バルブシートを有する前記主要流路を形成する工程と、
前記弁体を前記傾斜区画に配設する工程と、
前記補助流路を形成する工程と、
前記補助流路の上に前記調整器を配設して前記補助流路を選択的に閉塞する工程と、を含む、方法。
（１３）  前記補助流路を形成する前記方法が、前記補助流路を前記主要流路の周りで螺旋状にすることを含む、実施態様１２に記載の方法。
（１４）  第１の水力学的特性を有する前記主要流路を形成する工程と、
第２の水力学的特性を有する前記補助流路を形成する工程と、を更に含み、
前記第１の水力学的特性が前記第２の水力学的特性よりも大きい、実施態様１２に記載の方法。
【図１】
2014176694.tif 000003
【図２】
2014176694.tif 000004
【図３】
2014176694.tif 000005
【図４】
2014176694.tif 000006
【図５Ａ】
2014176694.tif 000007
【図５Ｂ】
2014176694.tif 000008
【図６】
2014176694.tif 000009
【図７Ａ】
2014176694.tif 000010
【図７Ｂ】
2014176694.tif 000011
【図８】
2014176694.tif 000012
【外国語明細書】
2014176694000001.pdf